(57)【要約】【課題】本発明は健康な人間の毛髪が抜ける引張り強度とほぼ同じ強度、あるいはそれよりもわずかに強い引張り強度で抜けるようにして、不用意に増毛した人工毛髪の抜けるのを防止できるとともに、頭皮を必要以上に傷めることなく抜けるようにして、安全に使用することができる人工毛髪を得るにある。【解決手段】毛髪あるいは合成樹脂材製の人工毛髪本体と、この人工毛髪本体の一端部を所定寸法折り返して端部に毛根部に位置できるように形成したループと、このループを除く前記人工毛髪本体の一端部の折り返し重なり合う部分を線状あるいは帯状に固定した溶着固定部とで人工毛髪を構成している。【選択図】　図１
2004131884.tif 000002
【特許請求の範囲】
【請求項１】
毛髪あるいは合成樹脂材製の人工毛髪本体と、この人工毛髪本体の一端部を所定寸法折り返して端部に毛根部に位置できるように形成したループと、このループを除く前記人工毛髪本体の一端部の折り返し重なり合う部分を線状あるいは帯状に固定した溶着固定部とからなることを特徴とする人工毛髪。
【請求項２】
合成樹脂材製の人工毛髪本体と、この人工毛髪本体の一端部を所定寸法折り返して端部に毛根部に位置できるように形成したループと、このループを除く前記人工毛髪本体の一端部の折り返し重なり合う部分の先端部を除く部位を線状あるいは帯状に振動溶着により固定した溶着固定部とからなることを特徴とする人工毛髪。
【請求項３】
合成樹脂材製の人工毛髪本体と、この人工毛髪本体の一端部を所定寸法折り返して端部に毛根部に位置できるように形成したほぼ９字状のループと、このループを除く前記人工毛髪本体の一端部の折り返し重なり合う部分を線状あるいは帯状に振動溶着により固定した溶着固定部とからなることを特徴とする人工毛髪。
【発明の詳細な説明】
【０００１】
【発明の属する技術分野】
本発明は頭皮に直接埋め込む人工毛髪に関する。
【０００２】
【従来の技術】
従来、この種の人工毛髪は人工毛髪本体の一端部をほぼα字状に曲げたループを形成し、交差部分をスポット状態で溶着固定している。
【０００３】
【発明が解決しようとする課題】
従来の頭皮に直接埋め込む人工毛髪は一端部にほぼα字状のループを形成するのに、交差部分をスポット状態で溶着固定しているため、溶着固定部が弱く、人工毛髪に健康な人間の毛髪が抜ける引張り強度（１５０ｇ〜２００ｇ程度）以下の引張り力が加わっても抜けてしまうという欠点があった。
【０００４】
本発明は以上のような従来の欠点に鑑み、健康な人間の毛髪が抜ける引張り強度とほぼ同じ強度、あるいはそれよりもわずかに強い引張り強度で抜けるようにして、不用意に増毛した人工毛髪の抜けるのを防止できるとともに、頭皮を必要以上に傷めることなく抜けるようにして、安全に使用することができる人工毛髪を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するため手段】
上記目的を達成するために、本発明は毛髪あるいは合成樹脂材製の人工毛髪本体と、この人工毛髪本体の一端部を所定寸法折り返して端部に毛根部に位置できるように形成したループと、このループを除く前記人工毛髪本体の一端部の折り返し重なり合う部分を線状あるいは帯状に固定した溶着固定部とで人工毛髪を構成している。
【０００７】
【発明の実施の形態】
以下、図面に示す実施の形態により、本発明を詳細に説明する。
【０００８】
図１ないし図５に示す本発明の第１の実施の形態において、１は頭皮に直接埋め込んで増毛する場合に使用される本発明の人工毛髪で、この人工毛髪１は医療用で使用されている、安全素材である合成樹脂材製の人工毛髪本体２と、この人工毛髪本体２の一端部を所定寸法折り返して端部に毛根部に位置できるように形成したループ３と、このループ３を除く前記人工毛髪本体２の一端部の折り返し重なり合う部分４の先端部を除く部分を線状あるいは帯状に振動溶着により固定した溶着固定部５とで構成されている。
【０００９】
前記人工毛髪本体２は従来から一般に使用されているもので、太さが０．０８ｍｍφ〜０．１５ｍｍφ程度で、長さは１５０ｍｍ、３００ｍｍなど必要な長さに切断されたものが使用される。
【００１０】
前記ループ３はほぼ９字状で、内径寸法が０．３ｍｍφ〜２．０ｍｍφ程度で、このループ３内に人体組織が入り込み定着する。また、ループ３の内径寸法は必要に応じて前記寸法以外にも形成して使用されることもある。
【００１１】
前記溶着固定部５は１ｍｍ〜２ｍｍで、折り返しの先端部は前記ループ３内に人体の肉が十分に入り込まない植毛初期に、釣針でいうところの返しの役割を果たすように傾斜面６に切断されるとともに、溶着固定をしない。
【００１２】
上記構成の人工毛髪１はループ３を植毛針に係止させて頭皮に差し込み、ループ３を毛根部に位置させて植毛される。
この時、ループ３を形成するための溶着固定部５は人工毛髪本体２の太さの数倍〜十数倍となり、人工毛髪１の抜ける引張り強度を１５０ｇ〜４５０ｇに設定でき、不用意に抜けたり、人体を傷めることなく抜け、安全に使用することができる。
また、ループ３が９字状に形成されているため、植毛した人工毛髪１に引張り力が加わっても、ループ３部分が毛根部に残った状態で切断されるのを確実に防止することができる。
【００１３】
【発明の異なる実施の形態】
次に、図６ないし図１７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図６ないし図８に示す本発明の第２の実施の形態において、前記本発明の第１の実施の形態と主に異なる点は、人工毛髪本体２のループ３を形成した一端部を傾斜面にならないように切断した点で、このように形成した人工毛髪１Ａにしても、前記本発明の第１の実施の形態と同様な作用効果が得られる。
【００１５】
図９ないし図１１に示す本発明の第３の実施の形態において、前記本発明の第１の実施の形態と主に異なる点は、アイボルト形状のループ３Ａを形成した点で、このように構成した人工毛髪１Ｂにしても、前記本発明の第１の実施の形態と同様な作用効果が得られる。
【００１６】
図１２ないし図１４に示す本発明の第４の実施の形態において、前記本発明の第１の実施の形態と主に異なる点は、逆形状のループ３Ｂに形成した点で、このように構成した人工毛髪１Ｃにしても、前記本発明の第１の実施の形態と同様な作用効果が得られる。
【００１７】
図１５ないし図１７に示す本発明の第５の実施の形態において、前記本発明の第１の実施の形態と主に異なる点は、溶着固定部５Ａの人工毛髪本体２部分２ａ、２ａを断面方形状に形成し、帯状の溶着固定部５Ａをできるようにした点で、このように構成した人工毛髪１Ｄにしても、前記本発明の第１の実施の形態と同様な作用効果が得られる。
【００１８】
なお、前記本発明の各実施の形態では人工毛髪本体２を合成樹脂材で形成したものを用いたが、本発明はこれに限らず、毛髪を用いてもよい。
この場合、直接溶着固定や人体に安全な素材を溶着剤として用いてもよい。
また、前記本発明の各実施の形態では人工毛髪本体２の断面形状を円形状や方形状に形成するものに付いて説明したが、本発明はこれに限らず、三角形状、半円形状、楕円形状等どんな形状であっても良い。
さらに、前記本発明の各実施の形態では円形状のループ３を形成するものに付いて説明したが、本発明はこれに限らず、方形状、三角形状、半円形状、楕円形状、菱形形状等どんなループ形状であっても良い。
【００１９】
【発明の効果】
以上の説明から明らかなように、本発明にあっては次に列挙する効果が得られる。
【００２０】
（１）毛髪あるいは合成樹脂材製の人工毛髪本体と、この人工毛髪本体の一端部を所定寸法折り返して端部に毛根部に位置できるように形成したループと、このループを除く前記人工毛髪本体の一端部の折り返し重なり合う部分を線状あるいは帯状に固定した溶着固定部とで構成されているので、ループを固定する溶着固定部を線状あるいは帯状に固定することができる。
したがって、固定部の面積を従来に比べ著しく大きくでき、健康な人間の毛髪が抜ける引張り強度と同等、あるいはそれよりもわずかに強い状態にできる。
よって、植毛した人工毛髪が不用意に抜けたり、人体を傷めることなく抜けるようにでき、安全に使用することができる。
【００２１】
（２）前記（１）によって、ループを形成した一端部の人工毛髪本体は線状あるいは帯状に溶着固定されているため、ループを形成した人工毛髪本体の端部が側方向に突出することなく、取り扱い時に隣りの人工毛髪にからまったりするのを効率よく阻止することができる。
【００２２】
（３）前記（１）によって、直線状態に形成できるので、大きな間隔をあけることなく並列状態での収納保管ができ、楽に使用することができる。
【００２３】
（４）請求項２、３も前記（１）〜（３）と同様な効果が得られる。
【図面の簡単な説明】
【図１】本発明の第１の実施の形態の一部破断拡大側面図。
【図２】本発明の第１の実施の形態の平面図。
【図３】本発明の第１の実施の形態の右側面図。
【図４】本発明の第１の実施の形態の左側面図。
【図５】図１の５−５線に沿う拡大断面図。
【図６】本発明の第２の実施の形態の一部破断拡大側面図。
【図７】本発明の第２の実施の形態の平面図。
【図８】本発明の第２の実施の形態の右側面図。
【図９】本発明の第３の実施の形態の一部破断拡大側面図。
【図１０】本発明の第３の実施の形態の平面図。
【図１１】本発明の第３の実施の形態の右側面図。
【図１２】本発明の第４の実施の形態の一部破断拡大側面図。
【図１３】本発明の第４の実施の形態の平面図。
【図１４】本発明の第４の実施の形態の右側面図。
【図１５】本発明の第５の実施の形態の一部破断拡大側面図。
【図１６】本発明の第５の実施の形態の平面図。
【図１７】図１５の１７−１７線に沿う拡大断面図。
【符号の説明】
１、１Ａ、１Ｂ、１Ｃ、１Ｄ：人工毛髪、
２：人工毛髪本体、　　　３、３Ａ、３Ｂ：ループ、
４：折り返し重なり合う部分、
５：溶着固定部、　　　　６：傾斜面。
【図１】
2004131884.tif 000003
【図２】
2004131884.tif 000004
【図３】
2004131884.tif 000005
【図４】
2004131884.tif 000006
【図５】
2004131884.tif 000007
【図６】
2004131884.tif 000008
【図７】
2004131884.tif 000009
【図８】
2004131884.tif 000010
【図９】
2004131884.tif 000011
【図１０】
2004131884.tif 000012
【図１１】
2004131884.tif 000013
【図１２】
2004131884.tif 000014
【図１３】
2004131884.tif 000015
【図１４】
2004131884.tif 000016
【図１５】
2004131884.tif 000017
【図１６】
2004131884.tif 000018
【図１７】
2004131884.tif 000019